(57)【特許請求の範囲】
【請求項１】
ラベル基材が透明ＰＥＴ樹脂で作製され少なくとも値下げ価格情報を含んだラベル本体と、
ラベル基材が透明ＰＥＴ樹脂で作製され前記ラベル本体から突出するように一体成形された目隠し部とを備えた値下げ価格バーコードラベルにおいて、
前記ラベル本体を、裏面に白色の着色印刷を施すとともに、表面に形成された感熱発色剤層により価格などの情報印字が可能な価格情報表示エリアと、
広告情報が赤色、橙色などの目立つ地色で着色印刷可能な広告情報表示エリアと、にミシン目により区画するとともに、前記価格情報表示エリアおよび目隠し部の裏面は白色もしくは灰色に着色された材料の粘着剤層とし、かつ、前記広告情報表示エリアの裏面は糊なしとすることを特徴とする値下げ価格バーコードラベル。
【請求項２】
ラベル基材が透明ＰＥＴ樹脂で作製され少なくとも値下げ価格情報を含んだラベル本体と、
ラベル基材が透明ＰＥＴ樹脂で作製され前記ラベル本体から突出するように一体成形された目隠し部とを備えた値下げ価格バーコードラベルの貼付方法であって、
前記ラベル本体を、裏面に白色の着色印刷を施すとともに、表面に形成された感熱発色剤層により価格などの情報印字が可能な価格情報表示エリアと、
広告情報が赤色、橙色などの目立つ地色で着色印刷可能な広告情報表示エリアと、にミシン目により区画するとともに、前記価格情報表示エリアおよび目隠し部の裏面は白色もしくは灰色に着色された材料の粘着剤層とし、かつ、前記広告情報表示エリアの裏面は糊なしとして形成したラベル基材の前記目隠し部を、対象商品における値下げ前の価格情報を含んだバーコードに掛かるように貼り付けて値下げ前価格のバーコードを読み取り不能とするとともに、
前記広告情報表示エリア部分を引き起こし立設することを特徴とする値下げ価格バーコードラベルの貼付方法。
【発明の詳細な説明】
【技術分野】
【０００１】
本発明は、特に、小売り流通業界で、客寄せのために行われる商品の値下げ（通称「マークダウン」、「見切」などとも呼ばれる）を行う際に適した値下げ価格バーコードラベル及びその貼付方法に関する。
【背景技術】
【０００２】
従来の値下げ価格バーコードラベル及びその貼付方法としては、例えば図１１に示されるようなものが知られている（特許文献１参照）。
図１１は、元売価ラベルＬ５１の一部に値下げ価格バーコードラベルＬ５２を貼り付けた状態を示す平面図であり、元売価ラベルＬ５１は、図示省略の商品に貼り付けられ、その表面には商品名（図示の例では、「国内産  牛肩  小間切」）、加工日、消費期限、価格、製造者、販売者などの有用情報と、値下げ前の価格情報を含んだバーコード４１が表示されている。
一方、値下げ価格バーコードラベルＬ５２は、値下げ価格情報を含んだ上下二段のバーコード４２（４２ａ、４２ｂ）や広告情報４５（図示の例では、「お買い得品」）などが印字されたラベル本体４３と、該ラベル本体４３から突出するように一体形成された目隠し部４４とを備えており、ラベル本体４３には、前記上下二段のバーコード４２のほか、値下げ後価格４６（図示の例では、「値引き後価格１４９円」）が印字されている。
前記値下げ価格バーコードラベルＬ５２を用いてマークダウンを行うには、同図に示すように、ラベル本体４３を元売価ラベルＬ５１の縁に沿わせるとともに、値下げ価格バーコードラベルＬ５２の目隠し部４４の貼付位置が、元売価ラベルＬ５１の値下げ前価格のバーコード４１の先頭部分を覆い隠してこれを読み取り不能にするように貼り付ける。このとき値下げ価格バーコードラベルＬ５２の裏面には、強い粘着剤が塗布されており、商品に貼り付けた際、容易に剥がれないようにされている。すなわち、値下げ価格バーコードラベルＬ５２を剥がして他の商品に貼り替える、いわゆる「不正貼り替え」が実行しにくいようになっている。
ところで、値下げ価格バーコードラベルＬ５２は、レジにて対象商品がマークダウン（値下げ、見切り）品であることに気付き易く、かつ、前述したように元売価ラベルＬ５１の値下げ前の価格情報を含んだバーコード４１が読み取れないよう元売価ラベルＬ５１の縁に沿わせ隣接して表示しており、元売価ラベルＬ５１と値下げ価格バーコードラベルＬ５２が図示省略の商品の表面に貼り付け・表示されるため、対象商品が小さいもの（例えば、「少量パック」など）であると商品の中身が見えにくいという問題があった。
さらに、「不正貼り替え」防止のため裏面全体にわたって形成された粘着剤を介して商品に貼り付けているため、剥がれにくいという利点はあるものの表示が「平面的」にならざるを得ず、折角の広告情報４５が消費者にアピールしにくいものであった。
【０００３】
【特許文献１】特開２００６−２１５２３６号公報
【発明の開示】
【発明が解決しようとする課題】
【０００４】
本発明は、上記の問題点に着目して成されたものであり、値下げ商品（見切商品）についてレジにおける値引き忘れを防止できる上、消費者に広告商品であることをアピールして購買意欲を促すことができる値下げ価格バーコードラベル及びその貼付方法を提供することを課題とする。
【課題を解決するための手段】
【０００５】
本発明に係る値下げ価格バーコードラベルは、ラベル基材が透明ＰＥＴ樹脂で作製され少なくとも値下げ価格情報を含んだラベル本体と、ラベル基材が透明ＰＥＴ樹脂で作製され前記ラベル本体から突出するように一体成形された目隠し部とを備えた値下げ価格バーコードラベルにおいて、前記ラベル本体を、裏面に白色の着色印刷を施すとともに、表面に形成された感熱発色剤層により価格などの情報印字が可能な価格情報表示エリアと、広告情報が赤色、橙色などの目立つ地色で着色印刷可能な広告情報表示エリアと、にミシン目により区画するとともに、前記価格情報表示エリアおよび目隠し部の裏面は白色もしくは灰色に着色された材料の粘着剤層とし、かつ、前記広告情報表示エリアの裏面は糊なしとすることを特徴とする。
さらに、本発明に係る値下げ価格バーコードラベルの貼付方法は、ラベル基材が透明ＰＥＴ樹脂で作製され少なくとも値下げ価格情報を含んだラベル本体と、ラベル基材が透明ＰＥＴ樹脂で作製され前記ラベル本体から突出するように一体成形された目隠し部とを備えた値下げ価格バーコードラベルの貼付方法であって、前記ラベル本体を、裏面に白色の着色印刷を施すとともに、表面に形成された感熱発色剤層により価格などの情報印字が可能な価格情報表示エリアと、広告情報が赤色、橙色などの目立つ地色で着色印刷可能な広告情報表示エリアと、にミシン目により区画するとともに、前記価格情報表示エリアおよび目隠し部の裏面は白色もしくは灰色に着色された材料の粘着剤層とし、かつ、前記広告情報表示エリアの裏面は糊なしとして形成したラベル基材の前記目隠し部を、対象商品における値下げ前の価格情報を含んだバーコードに掛かるように貼り付けて値下げ前価格のバーコードを読み取り不能とするとともに、前記広告情報表示エリア部分を引き起こし立設することを特徴とする。
【発明の効果】
【０００６】
本発明の値下げ価格バーコードラベルは、価格情報表示エリアおよび目隠し部の裏面に形成された粘着剤層を介して商品に貼り付け・表示するとともに、商品に対し糊なしの広告情報表示エリア部分を立設するので、立体的となって目立ち消費者に対する商品の販売および購買意欲を促進するために必要な宣伝効果をもたせることができるという効果がある。
また、ラベル基材を透明ＰＥＴ樹脂で作成すれば、ラベル基材が商品を覆ったとしても、視認性がよいものである。
また、少なくとも広告情報表示エリアの広告情報を、赤色、橙色などの目立つ地色で着色印刷すれば、消費者に対する商品の宣伝効果が向上する。
また、価格情報表示エリアの裏面に白色の着色印刷を施すようにすれば、価格情報としてバーコードを印字した場合もスキャナによる読取りは支障なく行え、また、目視可能な文字などを印字した場合でも透けることなく視認できる。
また、少なくとも価格情報表示エリアの表面に感熱発色層を形成すれば、印字が容易に行える。
また、粘着剤層を、白色もしくは灰色に着色された材料とすれば、価格情報としてバーコードを印字した場合もスキャナによる読取りは支障なく行え、また、目視可能な文字などを印字した場合でも透けることなく視認できる。
さらに、本発明に係る値下げ価格バーコードラベルの貼付方法は、価格情報表示エリアおよび目隠し部の裏面に形成された粘着剤層を介して、ラベル基材の前記目隠し部を、対象商品における値下げ前の価格情報を含んだバーコードに掛かるように貼り付けて値下げ前価格のバーコードを読み取り不能とするとともに、広告情報表示エリア部分を引き起こし立設するようにしたので、値下げ前価格のバーコードを読取り不能にした上で、消費者に対する商品の販売および購買意欲を促進するために必要なアピールができるという効果がある。
【発明を実施するための最良の形態】
【０００７】
以下、本発明の値下げ価格バーコードラベルの一実施の形態を図１ないし図４に基づき説明する。
なお、以下において、背景技術（従来技術）と同様の部分には同一符号を付すに止め、詳説は省略する。
図１は、本発明に係る値下げ価格バーコードラベルＬ２が台紙に仮着された状態を示す平面図、図２は、図１中、矢示ＩＩ−ＩＩ線に沿う概略断面図である。
主に、図１に示すように、値下げ価格バーコードラベルＬ２は、長尺状の台紙１に連続して仮着されており、矩形状のラベル本体３と、該ラベル本体３から突出するように一体形成された目隠し部４とを備えている。
ラベル本体３は、広告情報４５を印刷・表示する広告情報表示エリア２と、バーコード４２や値下げ後価格４６を印字・表示する価格情報表示エリア５より成っており、このラベル本体３から突出した状態で目隠し部４が一体的に形成されている。
また、前記広告情報表示エリア２と価格情報表示エリア５の間にはミシン目６が形成され、このミシン目６により広告情報表示エリア２と価格情報表示エリア５が区画・形成されるとともに、切断可能になっている。
次に、主に、図２に示すように、ラベル本体３のうち価格情報表示エリア５の裏面、およびこの価格情報表示エリア５より突出して形成された目隠し部４の裏面は、粘着剤が塗布された粘着剤層７となっており、他方、広告情報表示エリア２の裏面は糊がない状態となっており、前記ラベル本体３および目隠し部４、並びに粘着剤層７にて構成された「ラベル基材」としての値下げ価格バーコードラベルＬ２は、前記台紙１に前記粘着剤層７を介して仮着されている。また、値下げ価格バーコードラベル（ラベル基材）Ｌ２は上質の紙製であり、図示省略のインクリボン付きのプリンタにて印字できるようになっている。
【０００８】
次に、主に、図３に従い、値下げ価格バーコードラベルＬ２の印字状態を説明する。
図３は、図１の台紙１に仮着された値下げ価格バーコードラベルＬ２を図示省略のプリンタにて印字する状態を示す図１相当の平面図であり、無地で紙製の値下げ価格バーコードラベルＬ２ａをプリンタ（図示省略）にて搬送方向Ｆに搬送させながら印字ヘッド８にてインクリボン９（いずれも想像線にて図示）のインクを熱転写するようになっており、広告情報表示エリア２には広告情報４５（図示の例では、「お買い得品」）を、また、価格情報表示エリア５には値下げ情報の入ったバーコード４２ｂおよび目視可能な値下げ後価格４６（図示の例では、「値引き後価格１４９円」）を、各々印字するようになっている（Ｌ２ｂは印字後の値下げ価格バーコードラベルを表す）。
【０００９】
次に、主に、図４に基づき値下げ価格バーコードラベルＬ２の使用状態を説明する。
前記印字後の値下げ価格バーコードラベルＬ２ｂ（Ｌ２）を台紙１より剥がし、ラベル本体３を図示省略の商品に貼り付け・表示されている元売価ラベルＬ５１の縁に沿わせるとともに、値下げ価格バーコードラベルＬ２の目隠し部４の貼付位置が、元売価ラベルＬ５１の値下げ前価格のバーコード４１の先頭部分を覆い隠してこれを読み取り不能にするように粘着剤層７を介して貼り付ける。さらに、裏面に糊が付いていない（粘着剤層７が形成されていない）広告情報表示エリア２部分をミシン目６に沿って折り曲げて折り癖をつけるとともに、引き起こして立設する。
【００１０】
上述したように、目隠し部４にて元売価ラベルＬ５１の値下げ前価格のバーコード４１を読取り不能にした上で、価格情報表示エリア５および目隠し部４の裏面に形成された粘着剤層７を介して元売価ラベルＬ５１に隣接して値下げ価格バーコードラベルＬ２を貼り付け・表示するとともに、商品（図示省略）に対し広告情報表示エリア２部分を立設するので、立体的となって目立つ上、微風によって揺れることもあって消費者に対する商品の販売および購買意欲を促進するために必要な宣伝効果をもたせることができるものである。
なお、「ラベル基材」が紙製で、折り曲げ易く、かつ、折り癖がつき易いので、ミシン目６は特に必要としないが、ミシン目６は別途「不正貼り替え」の防止に役立てることができる。すなわち、広告情報表示エリア２部分が立設することにより、これを指で摘むと値下げ価格バーコードラベルＬ２が剥がし易くなる懸念があるが、粘着剤層７を介して価格情報表示エリア５および目隠し部４が商品（図示省略）に貼り付いて容易に剥がれないようにされている上、広告情報表示エリア２と価格情報表示エリア５の間に切断可能にミシン目６が設けられており、剥がす方向に力を加えるとミシン目６から切断されるため、「不正貼り替え」の防止が図れることになる。
また、説明の都合上、上記実施の形態においては、広告情報表示エリア２の裏面は「糊なし」で説明したが、これに限定されないことは勿論であり、「疑似接着剤層」とすることができる。すなわち、台紙１に仮着されているときは馴染んで値下げ価格バーコードラベルＬ２を台紙１より容易に剥がれることがないようにして長尺状の台紙１ごと値下げ価格バーコードラベルＬ２を巻回しても剥がれにくく、しかも一度台紙１より「疑似接着剤層」部分を剥がすと接着力が失われ、今度は台紙１や商品（図示省略）などに二度と接着することがないようにされる、いわゆる「疑似接着糊殺し加工」の採用が可能である。
また、値下げ価格バーコードラベルＬ２に対し、図示省略のプリンタで印字する際、インクリボン９のインクを印字ヘッド８により熱転写する例で説明したがこれに限定されないことは勿論であり、値下げ価格バーコードラベルＬ２の表面に熱により発色する「感熱発色層」を設け、印字ヘッド８の熱を直接印加して印字する、いわゆるダイレクトサーマル方式とすることも可能である。
【００１１】
次に、図５および図６に基づき、他の実施の形態（第２の実施の形態）につき説明する。
なお、以下において、先の実施の形態および背景技術（従来技術）と同様の部分は同一の符号を付すに止め、詳説を省略する。
図５は、値下げ価格バーコードラベルＬ１２が台紙１に仮着された状態を示す図１相当の平面図、図６は、図５中、矢示ＶＩ−ＶＩ線に沿う概略断面図である。
先の実施の形態の値下げ価格バーコードラベルＬ２が紙製であったのに対し、本実施の形態の値下げ価格バーコードラベルＬ１２は、「ラベル基材」として透明なＰＥＴ樹脂を採用している。
主に、図５に示すように、値下げ価格バーコードラベルＬ１２は、広告情報４５を印刷・表示する広告情報表示エリア１２、およびバーコード４２や値下げ後価格４６を印字・表示する価格情報表示エリア１５を備えたラベル本体１３と、このラベル本体１３から突出した状態に設けられた目隠し部１４とにより一体的に形成されている。
ラベル本体１３は、広告情報表示エリア１２および価格情報表示エリア１５より構成されており、広告情報表示エリア１２には、予め赤色や橙色などの目立つ色で広告表示４５（図示の例では、「お買い得品」）が着色印刷されている。
また、前記広告情報表示エリア１２と価格情報表示エリア１５の間にはミシン目１６が形成され、このミシン目１６により広告情報表示エリア１２および価格情報表示エリア１５が区画・形成されるとともに、切断可能になっている。なお、ミシン目１６の両端部には、内側に深く切り込んだ切込み部１１が形成されている。
【００１２】
次に、主に、図６の概略断面図に示すように、ラベル本体１３のうち価格情報表示エリア１５の裏面、およびこの価格情報表示エリア１５より突出して形成された目隠し部１４の裏面には、白色の着色印刷層１８が形成されており、さらに、この着色印刷層１８の表面（台紙１との間）は、粘着剤を塗布した粘着剤層７となっている。他方、広告情報表示エリア１２の裏面は糊がない状態となっており、前記ラベル本体１３および目隠し部１４、並びに着色印刷層１８および粘着剤層７にて構成された「ラベル基材」としての値下げ価格バーコードラベルＬ１２は、前記台紙１に前記粘着剤層７を介して仮着されている。
マークダウンの図示は省略するが、上記のバーコードラベルＬ１２を使ってマークダウン（値下げ、見切り）を行うには、台紙１に仮着されたバーコードラベルＬ１２をプリンタ（図示省略）にて搬送させながら印字ヘッド８にて「ラベル基材」に直接、熱を印加して価格情報表示エリア１５に値下げ情報の入ったバーコード４２ｂおよび目視可能な値下げ後価格４６を印字し、さらに、印字後の値下げ価格バーコードラベルＬ１２を台紙１より剥がして目隠し部１４にて元売価ラベルＬ５１の値下げ前価格のバーコード４１を読み取り不能にするように隣接して貼り付ける。そして、広告情報表示エリア１２部分をミシン目１６に沿って折り曲げて折り癖をつけるとともに、引き起こして立設する。
【００１３】
上述したように、予め赤色や橙色などの目立つ色で広告表示４５が印刷されている広告情報表示エリア１２を引き起こし立設して表示するので、消費者に対する商品の宣伝効果（アピール）がより向上するものである。
また、広告情報表示エリア１２は、広告表示４５が印刷されている部分を除いて透明なＰＥＴ樹脂で作製されているため、折り癖が戻って商品（図示省略）の表面を覆ったとしても、視界を遮る紙製とは異なり透かして商品が見え易いので、視認性が良いものである。
また、ミシン目１６の両端に切り込み部１１を設けたので、広告情報表示エリア１２は折り曲げ易く、かつ、同エリア１２部分を引っ張って「不正貼り替え」を行おうとした場合、切断し易いものである。
また、広告表示４５の印刷は、前記広告情報表示エリア１２の裏面に白色の着色印刷層１８を施す際、同時に印刷を行えば印刷効率が良い。この場合、広告表示４５は、逆文字、逆デザインとなる。
なお、透明な「ラベル基材」の価格情報表示エリア１５および目隠し部１４の裏面に白色の着色印刷層１８を設けたことにより、印字ヘッド８を介して同エリア１５にバーコード４２ｂや値下げ後価格４６を印字したとしても透けることがないので、スキャナ（図示省略）によるバーコード４２ｂの読取りや広告表示４５の視認、および目隠し部１４による値下げ前価格のバーコード４１の「目隠し」（読取り不可能にする点）に影響はないものである。
その他の構成、作用、効果については、先の実施の形態とほぼ同様につき詳説を省略する。
【００１４】
次に、図７ないし図１０に基づき、さらに他の実施の形態（第３の実施の形態）につき説明する。
なお、以下において、先の実施の形態および背景技術（従来技術）と同様の部分は同一の符号を付すに止め、詳説を省略する。
図７は、値下げ価格バーコードラベルＬ２２が台紙１に仮着された状態を示す図１相当の平面図、図８は、図７中、矢示ＶＩＩＩ−ＶＩＩＩ線に沿う概略断面図である。
本実施の形態の値下げ価格バーコードラベルＬ２２は、第２の実施の形態と同様、「ラベル基材」として透明なＰＥＴ樹脂を採用している。
同図に示すように、値下げ価格バーコードラベルＬ２２は、広告情報４５を印刷・表示する広告情報表示エリア２２、およびバーコード４２や値下げ後価格４６を印字・表示する価格情報表示エリア２５を備えたラベル本体２３と、このラベル本体２３から突出した目隠し部２４とにより一体的に形成されている。
ラベル本体２３のうち広告情報表示エリア２２は、予め赤色や橙色などの目立つ地色で全体、あるいは同エリア２２の周辺部分が着色印刷されており、一方、価格情報表示エリア２５の表面には、熱により発色する感熱発色層２１が形成されている。
また、前記広告情報表示エリア２２と価格情報表示エリア２５の間にはミシン目１６が形成され、このミシン目１６により広告情報表示エリア２２および価格情報表示エリア２５が区画・形成されるとともに、切断可能になっている。
なお、先の第２の実施の形態に比し、広告情報表示エリア２２の価格情報表示エリア２５に対する割合は小さく、逆に価格情報表示エリア２５の割合を大きくとってある。
また、ラベル本体２３の価格情報表示エリア２５の裏面、およびこの価格情報表示エリア２５より突出して形成された目隠し部２４の裏面は、白色または灰色の粘着剤が塗布された着色粘着剤層２７となっており、他方、広告情報表示エリア２２の裏面は糊がない状態となっている。そして、前記ラベル本体２３および目隠し部２４、並びに着色粘着剤層２７にて構成された「ラベル基材」としての値下げ価格バーコードラベルＬ２２は、前記台紙１に前記着色粘着剤層２７を介して仮着されている。
【００１５】
次に、主に、図９に基づき、値下げ価格バーコードラベルＬ２２の印字状態を説明する。
同図は、台紙１に仮着された値下げ価格バーコードラベルＬ２２（図７参照）をプリンタ（図示省略）にて搬送方向Ｆに搬送させながら印字ヘッド８にて印字を行うものであり、予め赤色または橙色の地色にて着色印字された広告情報表示エリア２２に、印字ヘッド８の熱を印加して広告情報４５（図示の例では、「お買い得品」）を直接印字し、さらに、価格情報表示エリア２５には、値下げ前後の価格情報の入った上下二段のバーコード４２（４２ａ、４２ｂ）および目視可能な値下げ後価格４６（図示の例では、「値引き後価格１４９円」）を表面の感熱発色層２１に印字する（Ｌ２２ａは、印字前の値下げ価格バーコードラベル、また、価格Ｌ２２ｂは、印字後の値下げ価格バーコードラベルを表す）。
【００１６】
次に、主に、図１０に基づき、値下げ価格バーコードラベルＬ２２を使用したマークダウン（値下げ、見切り）の方法を説明する。
前記印字後の値下げ価格バーコードラベルＬ２２ｂを台紙１より剥がし、ラベル本体２３を図示省略の商品に貼り付け・表示されている元売価ラベルＬ５１の縁に沿わせるとともに、値下げ価格バーコードラベルＬ２２ｂの目隠し部２４の貼付位置が、元売価ラベルＬ５１の値下げ前価格のバーコード４１の先頭部分を覆い隠してこれを読み取り不能にするように着色粘着剤層２７を介して貼り付け、さらに、広告情報表示エリア２２部分をミシン目１６に沿って折り曲げて折り癖をつけるとともに、引き起こして立設する。
【００１７】
上述したように、「ラベル基材」として透明なＰＥＴ樹脂を採用したとしても、価格情報表示エリア２５および目隠し部２４の裏面に、白色または灰色の着色粘着剤層２７を形成したので、この着色粘着剤層２７を介して目隠し部２４にて元売価ラベルＬ５１の値下げ前価格のバーコード４１の先頭部分を覆い隠した状態で貼り付け・表示すると、バーコード４１を読取り不能にすることができ、かつ、透けることがないのでスキャナ（図示省略）によるバーコード４２（４２ａ、４２ｂ）の読取りや広告情報４５の視認に影響はないものである。
また、予め赤色や橙色などの目立つ地色で全体、あるいは、周辺部分に着色印刷層２１が施されている広告情報表示エリア２２に印字ヘッド８を介して広告情報４５を直接印字し、前記広告情報表示エリア２２を立設するようにしたので、着色印刷層２１の色が目立つことと相俟って広告情報４５が消費者に目立つってアピールするものである。
また、裏面に糊のない広告情報表示エリア２２の割合を小さくし、裏面に着色粘着剤層２７が形成される価格情報表示エリア２５の割合を大きくとったことにより、価格情報表示エリア２５には、値下げ前後の価格情報の入った上下二段のバーコード４２ａ、４２ｂの印字が可能となるなど、先の実施の形態より多くの情報を印字・表示することが可能である。
その他の構成、作用、効果については、先の実施の形態とほぼ同様につき詳説を省略する。
【００１８】
なお、上記実施の形態の構成及び動作は例であって、本発明の趣旨を逸脱しない範囲で適宜変更することができることは言うまでもない。
【図面の簡単な説明】
【００１９】
【図１】本発明に係る値下げ価格バーコードラベルが台紙に仮着された状態を示す平面図である。
【図２】同、図１中、矢示ＩＩ−ＩＩ線に沿う概略断面図である。
【図３】同、プリンタにて値下げ価格バーコードラベルを印字する状態を示す図１相当の平面図である。
【図４】同、元売価ラベルの一部に値下げ価格バーコードラベルを貼り付けた状態を示す平面図である。
【図５】同、他の実施の形態に係る値下げ価格バーコードラベルが台紙に仮着された状態を示す図１相当の平面図である。
【図６】同、図５中、矢示ＶＩ−ＶＩ線に沿う概略断面図である。
【図７】同、第３の実施の形態に係る値下げ価格バーコードラベルが台紙に仮着された状態を示す図１相当の平面図である。
【図８】同、図７中、矢示ＶＩＩＩ−ＶＩＩＩ線に沿う概略断面図である。
【図９】同、プリンタにて値下げ価格バーコードラベルを印字する状態を示す図１相当の平面図である。
【図１０】同、元売価ラベルの一部に値下げ価格バーコードラベルを貼り付けた状態を示す図４相当の平面図である。
【図１１】従来の値下げ価格バーコードラベルの使用状態を示す平面図である。
【符号の説明】
【００２０】
Ｌ２、Ｌ２ａ、Ｌ２ｂ  値下げ価格バーコードラベル（第1の実施の形態）
Ｌ１２  値下げ価格バーコードラベル（第２の実施の形態）
Ｌ２２  値下げ価格バーコードラベル（第３の実施の形態
Ｌ５１  元売価ラベル
Ｌ５２  値下げ価格バーコードラベル
Ｆ  搬送方向
１  台紙
２  広告情報表示エリア
３  ラベル本体
４  目隠し部
５  価格情報表示エリア
６  ミシン目
７  粘着剤層
８  印字ヘッド
９  インクリボン
１１  切込み部
１２  広告情報表示エリア（第２の実施の形態）
１３  ラベル本体
１４  目隠し部
１５  価格情報表示エリア
１６  ミシン目
１８  着色印刷層
２１  感熱発色層
２２  広告情報表示エリア（第３の実施の形態）
２３  ラベル本体
２４  目隠し部
２５  価格情報表示エリア
２７  着色粘着剤層
４１  バーコード
４２  バーコード
４３  ラベル本体
４４  目隠し部
４５  広告情報
４６  値下げ後価格
【図１】
0005001782.tif 000002
【図２】
0005001782.tif 000003
【図３】
0005001782.tif 000004
【図４】
0005001782.tif 000005
【図５】
0005001782.tif 000006
【図６】
0005001782.tif 000007
【図７】
0005001782.tif 000008
【図８】
0005001782.tif 000009
【図９】
0005001782.tif 000010
【図１０】
0005001782.tif 000011
【図１１】
0005001782.tif 000012